(57)【特許請求の範囲】
【請求項１】
被写体の画像を撮像する撮像手段と、
この撮像手段により撮像された画像データを記憶する第１の記憶手段と、
前記画像データに合成するプレートの画像データを記憶する第２の記憶手段と、
この第２の記憶手段に記憶されたプレートの画像データに重ねるための画像データを記憶する第３の記憶手段と、
前記第１の記憶手段に記憶された画像データに合成する、前記第２の記憶手段に記憶されたプレートの画像データと前記第３の記憶手段に記憶された画像データとを指定する指定手段と、
この指定手段による指定条件に基づいて前記第３の記憶手段の画像データを前記プレートの画像データに重ねて前記第１の記憶手段に記憶された画像データに合成する画像合成手段と、
前記画像合成手段により前記指定手段による指定条件に基づいて前記第３の記憶手段の画像データを前記プレートの画像データに重ねて前記第１の記憶手段に記憶された画像データに合成する際の合成条件を設定する設定手段と、
を備え、
前記設定手段は、前記合成条件として、前記第１の記憶手段に記憶された画像データに対する前記第３の記憶手段の画像データを重ねた前記プレートの画像データの合成位置を設定すること、
を特徴とする画像処理装置。
【請求項２】
前記画像合成手段により前記第１の記憶手段に記憶された画像データに合成される前記第３の記憶手段の画像データ、或いは前記プレートの画像データのいずれか一方以上の色を制御する色制御手段を更に備え、
前記設定手段は、前記合成条件として、前記第３の記憶手段の画像データ、或いは前記プレートの画像データのいずれか一方以上の色を設定することを特徴とする請求項１記載の画像処理装置。
【請求項３】
前記画像合成手段により前記第１の記憶手段に記憶された画像データに合成される前記第３の記憶手段の画像データ、或いは前記プレートの画像データのいずれか一方以上のサイズを制御するサイズ制御手段を更に備え、
前記設定手段は、前記合成条件として、前記第３の記憶手段の画像データ、或いは前記プレートの画像データのいずれか一方以上のサイズを設定することを特徴とする請求項１記載の画像処理装置。
【請求項４】
前記設定手段は、拡大率、或いは縮小率を設定することにより前記第３の記憶手段の画像データ、或いは前記プレートの画像データのいずれか一方以上のサイズを設定することを特徴とする請求項３記載の画像処理装置。
【請求項５】
前記画像合成手段により前記第１の記憶手段に記憶された画像データに合成される前記第３の記憶手段の画像データを重ねた前記プレートの画像データの回転角度を制御する回転角制御手段を更に備え、
前記設定手段は、前記合成条件として、前記第３の記憶手段の画像データを重ねた前記プレートの画像データの回転角度を設定することを特徴とする請求項４記載の画像処理装置。
【請求項６】
前記第３の記憶手段は、文字毎にその文字の画像データを記憶し、
前記指定手段は、この第３の記憶手段に記憶された文字の画像データの中から１つずつ文字の画像データを指定して文字列の画像データを作成し、この文字列の画像データを前記第１の記憶手段に記憶された画像データに合成する画像データとして指定することを特徴とする請求項１〜５のいずれかに記載の画像処理装置。
【請求項７】
前記第３の記憶手段は、予め定められた文字列の画像データを複数記憶し、
前記指定手段は、この第３の記憶手段に記憶された複数の文字列の画像データの中から、前記第１の記憶手段に記憶された画像データに合成する文字列の画像データを指定することを特徴とする請求項１〜５のいずれかに記載の画像処理装置。
【発明の詳細な説明】
【０００１】
【発明の属する技術分野】
本発明は画像処理装置及び画像処理方法に係り、詳細には、撮像画像に画像合成を行なう、並びに画像処理された画像データを処理前の元画像データと関連付けて記憶する画像処理装置に関する。
【０００２】
【従来の技術】
近時、画像を撮像するデジタルカメラ（電子スチルカメラ）やビデオカメラ等の中には、例えば、液晶表示ユニットを備え、その表示画面に撮像した画像を再生表示するとともに、この再生表示した撮像画像に文字（文字の画像）や別の画像を合成する画像合成機能を備えるものがある。
【０００３】
また、このような画像合成機能に加え、撮像画像について色調調整処理や解像度変更処理等の各種画像加工処理を可能とする画像処理機能を備えるものがある。
【０００４】
【発明が解決しようとする課題】
しかしながら、このような従来の画像合成機能や、当該画像合成機能を含む画像処理機能を有するデジタルカメラやビデオカメラ等においては以下に述べるような課題があった。
【０００５】
すなわち、従来の画像合成機能は、ただ単に撮像画像に文字や画像を合成するだけであったことから、例えば、文字や画像により構成されるタイトル画像を撮像画像に合成する場合等に、合成されたタイトル画像が撮像画像と紛れて見ずらくなってしまう、合成されたタイトル画像が目立たない等といった課題があった。また、従来、このような課題を解消するためには、ユーザーが本来意図した合成位置や合成サイズで撮像画像にタイトル画像を合成することを諦めなくてはならない、或いは高度な画像処理機能を有する外部機器に撮像画像を転送し、当該外部機器でタイトル画像の合成処理を行なわなければならない等、使い勝手に欠ける一面があった。
【０００６】
また、このような画像合成機能を含む画像処理機能により処理された画像データは、新たな画像データとして画像メモリに格納されるだけであり、処理前の元画像データとの関連付けが何等なされていなかったことから、処理前の元画像と処理後の画像を比較するために両画像データを画像メモリから読み出して比較表示させるための操作が複雑で煩わしく、両画像の比較表示が行ないづらいといった課題があった。
【０００７】
本発明は、このような課題に鑑みてなされたものであり、合成する画像をプレートに重ねて撮像画像に画像合成する、並びに画像処理された画像データを処理前の元画像データと関連付けて記憶する画像処理装置を提供することである。
【０００８】
【課題を解決するための手段】
請求項１記載の画像処理装置は、
被写体の画像を撮像する撮像手段と、
この撮像手段により撮像された画像データを記憶する第１の記憶手段と、
前記画像データに合成するプレートの画像データを記憶する第２の記憶手段と、
この第２の記憶手段に記憶されたプレートの画像データに重ねるための画像データを記憶する第３の記憶手段と、
前記第１の記憶手段に記憶された画像データに合成する、前記第２の記憶手段に記憶されたプレートの画像データと前記第３の記憶手段に記憶された画像データとを指定する指定手段と、
この指定手段による指定条件に基づいて前記第３の記憶手段の画像データを前記プレートの画像データに重ねて前記第１の記憶手段に記憶された画像データに合成する画像合成手段と、
前記画像合成手段により前記指定手段による指定条件に基づいて前記第３の記憶手段の画像データを前記プレートの画像データに重ねて前記第１の記憶手段に記憶された画像データに合成する際の合成条件を設定する設定手段と、
を備え、
前記設定手段は、前記合成条件として、前記第１の記憶手段に記憶された画像データに対する前記第３の記憶手段の画像データを重ねた前記プレートの画像データの合成位置を設定すること、
を特徴としている。
【０００９】
請求項１記載の発明によれば、指定手段により第１の記憶手段に記憶された撮像した画像データに合成する、第２の記憶手段に記憶されたプレートの画像データと第３の記憶手段に記憶された画像データとが指定されると、画像合成手段は、前記指定手段による指定条件に基づいて前記第３の記憶手段の画像データを前記プレートの画像データに重ねて前記第１の記憶手段に記憶された画像データに合成する。
【００１２】
したがって、請求項１記載の発明によれば、合成する画像をプレートに重ねて撮像画像に合成することができるので、例えば、タイトル画像を撮像画像に合成した場合に、合成されたタイトル画像が強調され、タイトル画像をより見易くすることができる。また、合成する画像をプレートに重ねたことにより、従来のようにただ単に画像のみを合成した場合と比較して、より興趣に富んだ合成画像を当該画像処理装置で作成することができ、優れた画像合成機能をユーザーに提供することができる。
【００１４】
この請求項１記載の発明によれば、合成する画像をプレートに重ねて撮像画像に合成する際に、その合成条件をユーザーが任意に設定することができる。
【００１８】
この請求項１記載の発明によれば、合成する画像をプレートに重ねて撮像画像に合成する際に、その合成位置をユーザーが任意に設定することができる。
【００１９】
また、請求項２記載の発明のように、請求項１記載の画像処理装置において、
前記画像合成手段により前記第１の記憶手段に記憶された画像データに合成される前記第３の記憶手段の画像データ、或いは前記プレートの画像データのいずれか一方以上の色を制御する色制御手段を更に備え、
前記設定手段は、前記合成条件として、前記第３の記憶手段の画像データ、或いは前記プレートの画像データのいずれか一方以上の色を設定する構成であってもよい。
【００２０】
この請求項２記載の発明によれば、合成する画像をプレートに重ねて撮像画像に合成する際に、合成する画像、或いはプレートのいずれか一方以上の色をユーザーが任意に設定することができる。
【００２１】
また、請求項３記載の発明のように、請求項１記載の画像処理装置において、
前記画像合成手段により前記第１の記憶手段に記憶された画像データに合成される前記第３の記憶手段の画像データ、或いは前記プレートの画像データのいずれか一方以上のサイズを制御するサイズ制御手段を更に備え、
前記設定手段は、前記合成条件として、前記第３の記憶手段の画像データ、或いは前記プレートの画像データのいずれか一方以上のサイズを設定する構成であってもよい。
【００２２】
この請求項３記載の発明によれば、合成する画像をプレートに重ねて撮像画像に合成する際に、合成する画像、或いはプレートのいずれか一方以上の合成サイズをユーザーが任意に設定することができる。
【００２３】
この場合、請求項４記載の発明のように、請求項３記載の画像処理装置において、
前記設定手段は、拡大率、或いは縮小率を設定することにより前記第３の記憶手段の画像データ、或いは前記プレートの画像データのいずれか一方以上のサイズを設定する構成であってもよい。
【００２４】
この請求項４記載の発明によれば、拡大率、或いは縮小率を設定することにより、合成する画像、或いはプレートのいずれか一方以上の合成サイズをユーザーが任意に設定することができる。
【００２５】
また、請求項５記載の発明のように、請求項４記載の画像処理装置において、
前記画像合成手段により前記第１の記憶手段に記憶された画像データに合成される前記第３の記憶手段の画像データを重ねた前記プレートの画像データの回転角度を制御する回転角制御手段を更に備え、
前記設定手段は、前記合成条件として、前記第３の記憶手段の画像データを重ねた前記プレートの画像データの回転角度を設定する構成であってもよい。
【００２６】
この請求項５記載の発明によれば、合成する画像をプレートに重ねて撮像画像に合成する際に、合成する画像を重ねたプレートの回転角度をユーザーが任意に設定することができる。
【００２７】
また、請求項６記載の発明のように、請求項１〜５のいずれかに記載の画像処理装置において、
前記第３の記憶手段は、文字毎にその文字の画像データを記憶し、
前記指定手段は、この第３の記憶手段に記憶された文字の画像データの中から１つずつ文字の画像データを指定して文字列の画像データを作成し、この文字列の画像データを前記第１の記憶手段に記憶された画像データに合成する画像データとして指定する構成であってもよい。
【００２８】
この請求項６記載の発明によれば、文字（文字の画像）を１つずつ選択指定して任意の文字列を作成し、この作成した文字列をプレートに重ねて撮像画像に合成することができる。したがって、当該画像処理装置に文字入力のためのキーボード等を設けることなく、合成用の任意の文字列（例えば、タイトル文字等）を作成することができる。
【００２９】
また、請求項７記載の発明のように、請求項１〜５のいずれかに記載の画像処理装置において、
前記第３の記憶手段は、予め定められた文字列の画像データを複数記憶し、
前記指定手段は、この第３の記憶手段に記憶された複数の文字列の画像データの中から、前記第１の記憶手段に記憶された画像データに合成する文字列の画像データを指定する構成であってもよい。
【００３０】
この請求項７記載の発明によれば、予め定められた複数の定型文の中からユーザーにより選択指定された定型文の文字列をプレートに重ねて撮像画像に合成することができる。したがって、請求項６記載の発明のように文字を１文字ずつ選択指定して合成用の文字列を作成する必要がなく、より簡単に合成用の文字列（例えば、タイトル文字等）を設定することができる。
【００３８】
【発明の実施の形態】
以下、図を参照して本発明に好適な実施の形態を詳細に説明する。
【００３９】
まず、構成を説明する。
【００４０】
図１は、本発明を適用したデジタルカメラ１（電子スチルカメラ）の外観斜視図である。
同図においてデジタルカメラ１には、本体ケーシング１ａの図中背面側に撮像レンズ１１（１点鎖線）が設けられている。また、本体ケーシング１ａの図中前面側には、液晶ディスプレイ（ＬＣＤ：Liquid Crystal Display）等により構成される表示部１２が設けられ、この表示部１２には、撮影時に撮像レンズ１１を介して取り込んだ被写体の画像を表示することが、また、撮影後に撮像した画像を再生表示することができる。この表示部１２の右側には、上下へのスライド操作により撮影モード、再生モード、通信モード、及びタイトル画像合成モードの切換えを指示するモード切換スイッチ１３が設けられている。
【００４１】
また、本体ケーシング１ａの図中上面側には、左右へのスライド操作により電源のＯＮ／ＯＦＦ切換えを指示する電源スイッチ１４、画像の撮像を指示するとともに、タイトル画像合成モードにおいて選択内容の決定を指示するシャッターキー１５、タイトル画像合成モードにおいて選択内容のキャンセルを指示するエフェクトキー１６、メモリ（後述するフラッシュメモリ３１）に記憶された複数の画像データの中から表示部１２に再生表示する画像データを選択指定したり、タイトル画像合成モードにおいて各種設定条件を選択するための「＋」キー１７ａ及び「−」キー１７ｂ、が設けられている。
【００４２】
さらに、本体ケーシング１ａの図中上面側には、外部機器との間で画像データ、制御データ等を送受信するためのシリアル入出力端子１８ａ、外部機器に対して表示部１２へのビデオ信号（表示データ）と同じビデオ信号を出力するためのビデオ出力端子１８ｂが設けられている。
【００４３】
なお、デジタルカメラ１は、撮像レンズ１１を備えたカメラ部と本体部とからなり、本体部に対してカメラ部を回転自在、或いは着脱自在に配設し、本体部に対して撮像レンズ１１の位置を様々に回転、或いは移動可能な構成としてもよい。
【００４４】
次に、図２は、図１に示したデジタルカメラ１の回路構成を示すブロック図である。
同図においてデジタルカメラ１は、図１に示した表示部１２と、ＣＣＤ２０、バッファ２１、Ａ／Ｄ変換器２２、駆動回路２３、タイミングジェネレータ２４、シグナルジェネレータ２５、ＶＲＡＭ２６、Ｄ／Ａ変換器２７、バッファ２８、ＤＲＡＭ２９、圧縮／伸長回路３０、フラッシュメモリ３１、ＣＧ３２、ＲＯＭ３３、ＲＡＭ３４、キー入力部３５、ＣＰＵ３６、及びＩ／Ｏポート３７と、により構成されている。
【００４５】
ＣＣＤ（Charge Coupled Device ）２０は、フォトダイオード等の受光部に転送電極を重ねた素子（画素）を平面状に多数配設した画素面と、各画素に蓄積された電荷を電圧に変換して出力する出力部とから構成される。撮像レンズ１１を介して入射した光は前記画素面で受光され、各画素には受光量に比例した電荷が蓄積される。各画素の蓄積電荷は、駆動回路２３から供給される駆動信号に応じて前記出力部により撮像信号（アナログ信号）として１画素分ずつ順次読み出され、バッファ２１を介してＡ／Ｄ変換器２２に出力される。
【００４６】
Ａ／Ｄ（Analog to Digital）変換器２２は、ＣＣＤ２０からバッファ２１を介して入力された撮像信号をアナログ信号からデジタル信号に変換し、タイミングジェネレータ２４に供給する。
【００４７】
駆動回路２３は、タイミングジェネレータ２４から供給されるタイミング信号に基づいてＣＣＤ２０の露光及び読み出しタイミングを駆動制御する。また、タイミングジェネレータ２４は、ＣＰＵ３６から入力される映像取り込み信号に基づいて駆動回路２３を制御するタイミング信号を生成する。
【００４８】
シグナルジェネレータ２５は、タイミングジェネレータ２４を介して供給された撮像信号（デジタル信号）に対して色演算処理を行ない、輝度信号（Ｙデータ）と色信号（Ｃデータ）により構成される画像データを生成し、この画像データをＤＲＡＭ２９に出力する。
【００４９】
また、シグナルジェネレータ２５は、ＣＰＵ３６によりＤＲＡＭ２９から供給された画像データに同期信号を付加する等してビデオ信号（デジタル信号）を生成して一旦、ＶＲＡＭ２６に格納し、その後、ＶＲＡＭ２６に格納したビデオ信号をＤ／Ａ変換器２７及びバッファ２８を介して表示部１２に出力する。また、ビデオ出力端子１８ｂにビデオケーブルを介して外部機器が接続されている場合は、前記ビデオ信号を外部機器にも出力する。
【００５０】
ＶＲＡＭ（Video Random Access Memory）２６は、シグナルジェネレータ２５により生成されたビデオ信号（表示データ）を一時的に格納するビデオメモリである。
【００５１】
Ｄ／Ａ（Digital to Analog ）変換器２７は、シグナルジェネレータ２５によりＶＲＡＭ２６から供給されるビデオ信号（表示データ）をデジタル信号からアナログ信号に変換し、バッファ２８を介して表示部１２に、また、ビデオ出力端子１８ｂにビデオケーブルを介して外部機器が接続されている場合は、当該外部機器にも出力する。
【００５２】
表示部１２は、液晶ディスプレイ等により構成され、Ｄ／Ａ変換器２７及びバッファ２８を介して入力されるビデオ信号（表示データ）に基づいて表示画面に画像を表示する。
【００５３】
ＤＲＡＭ（Dynamic Random Access Memory）２９は、シグナルジェネレータ２５から供給される撮像した画像データ、或いはＣＰＵ３６によりフラッシュメモリ３１から読み出され、後述する圧縮／伸長回路３０により伸長処理された画像データを一時的に格納する半導体メモリである。また、このＤＲＡＭ２９は、後述するタイトル画像合成処理（図８及び図９参照）の際に、指定された画像データに対して作成したタイトル画像データを合成するための作業領域としても使用される。
【００５４】
圧縮／伸長回路３０は、ＤＲＡＭ２９に格納された画像データを符号化により圧縮処理する。具体的には、画像データを所定の符号化方式、すなわち、取り扱う画像の種類（この場合、静止画）に応じた、例えば、ＪＰＥＧ（Joint Photographic Experts Group）アルゴリズムによる８×８画素毎のＤＣＴ（Discrete Cosine Transform ：離散コサイン変換）、量子化、ハフマン符号化により圧縮処理（符号化処理）し、この圧縮処理した画像データをフラッシュメモリ３１に出力する。また、後述するタイトル画像合成処理（図８及び図９参照）によりタイトル画像データの合成された画像データについても同様に圧縮処理を行ない、フラッシュメモリ３１に出力する。さらに、圧縮／伸長回路３０は、フラッシュメモリ３１に格納されている圧縮処理された画像データ（タイトル画像データが合成された画像データを含む）を復号化して伸長処理し、ＤＲＡＭ２９に出力する。
【００５５】
フラッシュメモリ３１は、圧縮／伸長回路３０により圧縮処理された画像データ（タイトル画像データが合成された画像データを含む）を、ページＮｏ．データと対応付けて複数格納する半導体メモリである。
【００５６】
ＣＧ（Character Generator ）３２は、表示部１２に表示される、例えば、操作ガイダンス用のカナ、英数字、記号等のキャラクタデータを格納するメモリである。
【００５７】
ＲＯＭ（Read Only Memory）３３は、後述するタイトル画像合成処理（図８及び図９参照）等の、ＣＰＵ３６により実行されるデジタルカメラ１の各部を制御するための各種制御プログラムを格納する。この各種制御プログラムは、ＣＰＵ３６が読み取り可能なプログラムコードの形態で記憶されている。
【００５８】
また、このＲＯＭ３３は、タイトル画像合成処理（図８及び図９参照）においてタイトル画像を作成するために必要なデータや制御コード等を格納した後述する定型タイトル文格納テーブル３４ａ（図３参照）、タイトル文字格納テーブル３４ｂ（図４参照）、タイトル文字色制御テーブル３４ｃ（図５参照）、プレート格納テーブル３４ｄ（図６参照）、及びプレート色制御テーブル３４ｅ（図７参照）を格納する。これらの各テーブル３４ａ〜３４ｅは、タイトル画像合成処理（図８及び図９参照）の際にＣＰＵ３６によって読み出され、ＲＡＭ３４に展開される。
【００５９】
ＲＡＭ（Random Access Memory）３４は、ＣＰＵ３６により各種制御処理が実行される際に、処理される各種データを一時的に格納するワークエリアを形成する。また、このＲＡＭ３４には、後述するタイトル画像合成処理（図８及び図９参照）の際にＣＰＵ３６によりＲＯＭ３３から読み出された前記定型タイトル文格納テーブル３４ａ（図３参照）、タイトル文字格納テーブル３４ｂ（図４参照）、タイトル文字色制御テーブル３４ｃ（図５参照）、プレート格納テーブル３４ｄ（図６参照）、及びプレート色制御テーブル３４ｅ（図７参照）が展開される。
以下に各テーブルについて説明する。
【００６０】
図３は、ＲＡＭ３４に展開される定型タイトル文格納テーブル３４ａの一例について示す図である。
同図に示す定型タイトル文格納テーブル３４ａには、予め設定されている定型タイトル文データ（例えば、「おめでとう」、「Ｈａｐｐｙ  Ｂｉｒｔｈｄａｙ」等）が格納Ｎｏ．データと対応付けられて格納されている。
【００６１】
図４は、ＲＡＭ３４に展開されるタイトル文字格納テーブル３４ｂの一例について示す図である。
同図に示すタイトル文字格納テーブル３４ｂには、任意のタイトル文を作成するために用いられる、促音、濁点、半濁点等を含むひらがな、アルファベット、数字等のタイトル文字データが格納されている。後述するタイトル画像合成処理（図８及び図９参照）においてユーザーは、「＋」キー１７ａ、「−」キー１７ｂ、及びシャッターキー１５の押圧操作により、このタイトル文字格納テーブル３４ｂに格納されている各タイトル文字データの中から任意のタイトル文字データを１文字ずつ選択して設定し、任意のタイトル文を作成することができる。
【００６２】
また、図５は、ＲＡＭ３４に展開されるタイトル文字色制御テーブル３４ｃの一例について示す図である。
同図に示すタイトル文字色制御テーブル３４ｃには、タイトル文字の色を制御するための色制御コードが各色毎に格納Ｎｏ．データと対応付けられて格納されている。
【００６３】
図６は、ＲＡＭ３４に展開されるプレート格納テーブル３４ｄの一例について示す図である。
同図に示すプレート格納テーブル３４ｄには、異なる形状を有する複数のプレートの画像データが各プレート毎に格納Ｎｏ．データと対応付けられて格納されている。後述するタイトル画像合成処理（図８及び図９参照）においてタイトル文を撮像画像（画像データ）に合成する際には、前記タイトル文をこのプレートに重ねて撮像画像に合成する。
【００６４】
図７は、ＲＡＭ３４に展開されるプレート色制御テーブル３４ｅの一例について示す図である。
同図に示すプレート色制御テーブル３４ｅには、プレートの色を制御するための色制御コードが各色毎に格納Ｎｏ．データと対応付けられて格納されている。
【００６５】
キー入力部３５は、前述したモード切換スイッチ１３、電源スイッチ１４、シャッターキー１５、エフェクトキー１６、「＋」キー１７ａ、及び「−」キー１７ｂにより構成され、各キーの押圧操作やスライド操作に応じた各種操作信号をＣＰＵ３６に出力する。
【００６６】
ＣＰＵ（Central Processing Unit ）３６は、ＲＯＭ３３に格納される各種制御プログラムに従ってデジタルカメラ１の各部を制御する中央演算処理装置である。具体的には、ＣＰＵ３６は、モード切換スイッチ１３がスライド操作されてタイトル画像合成モードが指定されると、後述するタイトル画像合成処理（図８及び図９参照）を実行する。
【００６７】
このタイトル画像合成処理においてＣＰＵ３６は、キー入力部３５のキー操作により合成対象として選択指定され、ＤＲＡＭ２９に格納された撮像した画像データに対して、プレート格納テーブル３４ｄから合成するプレートの画像データと、定型タイトル文格納テーブル３４ａ、或いはタイトル文字格納テーブル３４ｂから合成するタイトル文データとがキー入力部３５のキー操作によって指定（任意のタイトル文データを作成して指定する場合を含む）されると、これらの指定された画像データ、タイトル文の画像データ、プレートの画像データについて、タイトル文字の色、プレートの色、合成対象の画像に対するタイトル画像の合成位置、合成時のタイトル画像のサイズ、合成時のタイトル画像の回転角度等の合成条件を設定可能に制御する。そして、設定された各種合成条件に基づいて、前記タイトル文の画像データを前記プレートの画像データに重ねてタイトル画像データを生成し、このタイトル画像データを前記ＤＲＡＭ２９に格納された画像データに合成する。
【００６８】
そして、ＣＰＵ３６は、タイトル画像の合成を行なうと、合成元の画像データの次のページＮｏ．データ以降の値を順次インクリメント（＋１）した後、ＤＲＡＭ２９に格納された合成済みの画像データを前記合成元の画像データの次のページＮｏ．データと対応付けてフラッシュメモリ３１に格納する。
【００６９】
また、ＣＰＵ３６は、撮影モードにおいてシャッターキー１５が押圧操作されると撮像処理を実行し、タイミングジェネレータ２４に映像取り込み信号を出力する。タイミングジェネレータ２４では、前記映像取り込み信号に基づいてタイミング信号を生成して駆動回路２３に出力し、駆動回路２３では、前記タイミング信号に基づいてＣＣＤ２０の露光及び読み出しタイミングを駆動制御して、ＣＣＤ２０により撮像信号を取り込む。Ａ／Ｄ変換器２２では、前記取り込んだ撮像信号をアナログ信号からデジタル信号に変換し、シグナルジェネレータ２５では、前記撮像信号に対して色演算処理を行なって画像データを生成してＤＲＡＭ２９に格納する。そして、ＣＰＵ３６は、ＤＲＡＭ２９に格納された画像データを圧縮／伸長回路３０に転送して圧縮処理を行なわせた後、この圧縮された画像データを新たなページＮｏ．データと対応付けてフラッシュメモリ３１に格納する。ちなみに、フラッシュメモリ３１に格納される画像データは、通常、その格納順にページＮｏ．データが割り当てられる。すなわち、最初に格納された画像データにはページＮｏ．データとして“１”が、次に格納された画像データにはページＮｏ．データとして“２”が割り当てられる。
【００７０】
一方、ＣＰＵ３６は、モード切換スイッチ１３のスライド操作により再生モードが指定されると、「＋」キー１７ａ、或いは「−」キー１７ｂの押圧操作に応じてフラッシュメモリ３１に格納された画像データを、そのページＮｏ．順（「＋」キー１７ａが押圧操作された場合は昇順、「−」キー１７ｂが押圧操作された場合は降順）に順次読み出して圧縮／伸長回路３０に転送し、伸長処理を行なわせた後、この画像データをＤＲＡＭ２９に格納する。その後、ＣＰＵ３６は、ＤＲＡＭ２９に格納された画像データをシグナルジェネレータ２５に転送し、シグナルジェネレータ２５では、入力された画像データに同期信号を付加する等してビデオ信号（表示データ）を生成して、ＶＲＡＭ２６、Ｄ／Ａ変換器２７、及びバッファ２８を介して表示部１２に出力し、表示画面に画像を再生表示する。また、ビデオ出力端子１８ｂにビデオケーブルを介して外部機器が接続されている場合は、当該外部機器にも前記ビデオ信号を出力し、画像の再生表示を可能とする。
【００７１】
Ｉ／Ｏ（Input / Output）ポート３７は、当該デジタルカメラ１とシリアル入出力端子１８ａ及び通信ケーブルを介して接続された外部機器との間で授受されるシリアルデータ（画像データ、制御データ等）の入出力制御を行なうインターフェースである。
以上がデジタルカメラ１の構成である。
【００７２】
次に、動作を説明する。
まず、デジタルカメラ１のＣＰＵ３６において実行されるタイトル画像合成処理について、図８及び図９に示すフローチャートと図１０〜図１３に示す画面表示例に基づいて説明する。
【００７３】
ＣＰＵ３６では、モード切換スイッチ１３がスライド操作されてタイトル画像合成モードが指定されると、ＲＯＭ３３に格納されているタイトル画像合成処理に関するプログラムを読み出して、その処理を開始する。
【００７４】
まず、ＣＰＵ３６は、ＲＯＭ３３に格納されている各テーブル３４ａ，３４ｂ，３４ｃ，３４ｄ，３４ｅ（図３〜図７参照）をＲＡＭ３４の所定領域に展開する等の初期処理を行なった後（ステップＳ１）、タイトル画像を合成する画像データの指定処理を行なう。
【００７５】
すなわち、ＣＰＵ３６は、フラッシュメモリ３１に格納された、例えば、９６枚分の画像データの中から、まず、ページＮｏ．データ“１”の画像データを読み出して圧縮／伸長回路３０で伸長処理を行なわせた後、シグナルジェネレータ２５により同期信号を付加する等してビデオ信号に変換させて表示部１２に出力し、前記画像データを表示画面に再生表示する（ステップＳ２）。
【００７６】
次いで、ＣＰＵ３６は、シャッターキー１５が押圧操作されたか否かを判別し（ステップＳ３）、シャッターキー１５が押圧操作されていない場合は、次いで、「＋」キー１７ａ、或いは「−」キー１７ｂが押圧操作されたか否かを判別する（ステップＳ４）。
【００７７】
そして、ＣＰＵ３６は、上記両キー１７ａ，１７ｂとも押圧操作されていないと判別した場合は上記ステップＳ３に戻り、また、上記両キー１７ａ，１７ｂのいずれかが押圧操作されたと判別した場合は、押圧操作されたキーに応じて、「＋」キー１７ａが押圧操作された場合は、次のページＮｏ．データの画像データ、例えば、現在、表示部１２に再生表示されている画像データのページＮｏ．データが“１”である場合は、ページＮｏ．データ“２”の画像データをフラッシュメモリ３１から読み出して表示部１２に再生表示し、また、「−」キー１７ｂが押圧操作された場合は、１つ前のページＮｏ．データの画像データをフラッシュメモリ３１から読み出して表示部１２に再生表示した後（ステップＳ５）、上記ステップＳ３に戻る。
【００７８】
このような制御構成とすることにより、ユーザーは、デジタルカメラ１のフラッシュメモリ３１に格納された複数の画像データを順次、表示部１２に切換表示させながらタイトル画像を合成する所望の画像データを検索することができる。
【００７９】
一方、ＣＰＵ３６は、上記ステップＳ３においてシャッターキー１５が押圧操作されたと判別した場合は、当該シャッターキー１５が押圧操作された時点で表示部１２に表示されている画像データを、タイトル画像を合成する画像データとして決定する（ステップＳ６）。
【００８０】
例えば、図１０（ａ）は、上記ステップＳ２〜Ｓ６に示す処理により、フラッシュメモリ３１に格納された複数の画像データをそのページＮｏ．順に順次、表示部１２に切換表示させて、ページＮｏ．データ“１８”の画像データをタイトル画像の合成対象として指定した状態を示している。
【００８１】
次いで、ＣＰＵ３６は、タイトル画像作成モードに移行して（ステップＳ７）、合成するタイトル文字やプレートの設定処理を行なう。
【００８２】
このタイトル画像作成モードにおいてＣＰＵ３６は、まず、タイトル文字の設定処理を行なう。この設定処理においてＣＰＵ３６は、ＲＡＭ３４の定型タイトル文格納テーブル３４ａ（図３参照）から格納Ｎｏ．データ“１”の定型タイトル文を読み出して、図１０（ｂ）に示すように設定画面とともに表示部１２に表示する（ステップＳ８）。
【００８３】
その後、ＣＰＵ３６は、ステップＳ９〜Ｓ１１において、「＋」キー１７ａ、或いは「−」キー１７ｂの押圧操作に応じて（ステップＳ１０）、前記定型タイトル文格納テーブル３４ａに格納されている定型タイトル文を、その格納Ｎｏ．順（「＋」キー１７ａが押圧操作された場合は昇順、「−」キー１７ｂが押圧操作された場合は降順）に順次読み出して、例えば、図１０（ｃ）に示すように表示部１２に定型タイトル文を切換表示し（ステップＳ１１）、ステップＳ９に戻る。そして、ＣＰＵ３６は、シャッターキー１５の押圧操作により（ステップＳ９）、その時点で表示部１２に表示されている定型タイトル文を合成用のタイトル文字として決定する（ステップＳ１２）。
【００８４】
ちなみに、図１０（ｂ）において“おめでとう！”の右下にある“１／１５”は、前記定型タイトル文格納テーブル３４ａに全部で１５個の定型タイトル文が格納されており、現在表示されている定型タイトル文は、その中で格納Ｎｏ．データ“１”の定型タイトル文であることを示している。
【００８５】
なお、タイトル文字の設定処理は、定型タイトル文以外にも任意のタイトル文の設定が可能である。すなわち、「＋」キー１７ａ、或いは「−」キー１７ｂの押圧操作に応じて、ＲＡＭ３４のタイトル文字格納テーブル３４ｂ（図４参照）から前記キー１７ａ，１７ｂの押圧操作に対応するタイトル文字データを１文字ずつ順次読み出して表示部１２に表示し、シャッターキー１５の押圧操作により、その時点で表示部１２に表示されている文字をタイトル文の１文字として設定する工程を繰り返し行ない、任意のタイトル文字を作成、設定する方法である。
【００８６】
また、この他にも、タイトル文字の設定処理は、例えば、当該デジタルカメラ１で撮像した文字画像そのものをタイトル文字の画像データとして設定する方法や、前記撮像した文字画像から文字認識処理により文字データを得、当該文字データをタイトル文字として設定する方法であってもよい。このようなタイトル文字の設定方法によれば、キー入力を行なうことなく任意のタイトル文字を設定することができる。また、表示部１２にタッチパネルを重ねる等して手書き入力機能を備え、ペン入力等による入力文字を２値化してタイトル文字の画像データを設定する方法であってもよい。このようなタイトル文字の設定方法によれば、タイトル文字を手書き文字で設定することができる。
【００８７】
さらには、当該デジタルカメラ１のシリアル入出力端子１８ａに通信ケーブルを介して接続可能な外部機器（例えば、パーソナルコンピュータ）で作成された文字データを通信処理により取り込んで、この取り込んだ文字データをタイトル文字として設定する構成であってもよい。
【００８８】
このようにしてタイトル文字が設定されると、次いで、ＣＰＵ３６は、タイトル文字の色設定処理を行なう。この設定処理においてＣＰＵ３６は、まず、ＲＡＭ３４のタイトル文字色制御テーブル３４ｃ（図５参照）から格納Ｎｏ．データ“１”の色制御コード（Ｃ＿ＣＯＲ１（黒））を読み出して、図１１（ａ）に示すように、この色制御コードに基づく色（黒）で前記設定されたタイトル文字を表示する（ステップＳ１３）。
【００８９】
その後、ＣＰＵ３６は、ステップＳ１４〜Ｓ１６において、「＋」キー１７ａ、或いは「−」キー１７ｂの押圧操作に応じて（ステップＳ１５）、前記タイトル文字色制御テーブル３４ｃに格納されている色制御コードを、その格納Ｎｏ．順（「＋」キー１７ａが押圧操作された場合は昇順、「−」キー１７ｂが押圧操作された場合は降順）に順次読み出して、例えば、図１１（ｂ）に示すように、この色制御コードに基づいて前記設定されたタイトル文字の色を変更して表示し（ステップＳ１６）、ステップＳ１４に戻る。そして、ＣＰＵ３６は、シャッターキー１５の押圧操作により（ステップＳ１４）、その時点でのタイトル文字の表示色を合成用のタイトル文字の色として決定する（ステップＳ１７）。
【００９０】
次いで、ＣＰＵ３６はプレート設定処理に移行する。この設定処理においてＣＰＵ３６は、まず、ＲＡＭ３４のプレート格納テーブル３４ｄ（図６参照）から格納Ｎｏ．データ“１”のプレート画像データを読み出す。そして、このプレート画像データを圧縮／伸長回路３０に転送し、伸長処理を行なわせた後、シグナルジェネレータ２５により同期信号を付加する等してビデオ信号に変換させて表示部１２に出力させ、図１１（ｃ）に示すように、前記表示色を含めて設定されたタイトル文字に該プレートを重ねて表示する（ステップＳ１８）。
【００９１】
その後、ＣＰＵ３６は、ステップＳ１９〜Ｓ２１において、「＋」キー１７ａ、或いは「−」キー１７ｂの押圧操作に応じて（ステップＳ２０）、前記プレート格納テーブル３４ｄに格納されているプレート画像データを、その格納Ｎｏ．順（「＋」キー１７ａが押圧操作された場合は昇順、「−」キー１７ｂが押圧操作された場合は降順）に順次読み出して、同様にして伸長処理、ビデオ信号変換処理等を行なわせて表示部１２に出力させ、例えば、図１２（ａ）に示すようにプレートを切換表示し（ステップＳ２１）、ステップＳ１９に戻る。そして、ＣＰＵ３６は、シャッターキー１５の押圧操作により（ステップＳ１９）、その時点で表示部１２に表示されているプレートを合成用のプレートとして決定する（ステップＳ２２）。
【００９２】
このようにしてプレートが設定されると、次いで、ＣＰＵ３６は、プレートの色設定処理に移行する。この設定処理においてＣＰＵ３６は、まず、ＲＡＭ３４のプレート色制御テーブル３４ｅ（図７参照）から格納Ｎｏ．データ“１”の色制御コード（Ｐ＿ＣＯＲ１（白））を読み出して、図１２（ｂ）に示すように、この色制御コードに基づく色（白）で前記設定されたプレートを表示する（ステップＳ２３）。
【００９３】
その後、ＣＰＵ３６は、ステップＳ２４〜Ｓ２６において、「＋」キー１７ａ、或いは「−」キー１７ｂの押圧操作に応じて（ステップＳ２５）、前記プレート色制御テーブル３４ｅに格納されている色制御コードを、その格納Ｎｏ．順（「＋」キー１７ａが押圧操作された場合は昇順、「−」キー１７ｂが押圧操作された場合は降順）に順次読み出して、例えば、図１２（ｃ）に示すように、この色制御コードに基づいて前記設定されたプレートの色を変更して表示し（ステップＳ２６）、ステップＳ２４に戻る。そして、ＣＰＵ３６は、シャッターキー１５の押圧操作により（ステップＳ２４）、その時点でのプレートの表示色を合成用のプレートの色として決定する（ステップＳ２７）。
【００９４】
そして、ＣＰＵ３６は、このようにしてタイトル画像作成モード（ステップＳ７〜Ｓ２７）において設定した各種条件に基づいてタイトル画像データを生成し、ＲＡＭ３４の所定領域に格納する（ステップＳ２８）。
【００９５】
次いで、ＣＰＵ３６は、タイトル画像合成モードに移行して、前記ステップＳ６において指定された画像データに、前記生成したタイトル画像を合成して記憶する処理を行なう。
【００９６】
このタイトル画像合成モードにおいてＣＰＵ３６は、まず、タイトル画像の合成位置設定処理を行なう。この設定処理においてＣＰＵ３６は、図１３（ａ）に示すように、設定画面上に前記ステップＳ６において指定された画像データを表示するとともに、その画像の下方に前記作成したタイトル画像を重ねて表示する（ステップＳ２９）。
【００９７】
次いで、ＣＰＵ３６は、ステップＳ３０〜Ｓ３２において、「＋」キー１７ａ、或いは「−」キー１７ｂの押圧操作に応じて（ステップＳ３１）、前記タイトル画像の表示位置を図１３（ｂ），図１３（ｃ）に示すように上下（「＋」キー１７ａが押圧操作された場合は上方向、「−」キー１７ｂが押圧操作された場合は下方向）に変更し（ステップＳ３２）、ステップＳ３０に戻る。そして、ＣＰＵ３６は、シャッターキー１５の押圧操作により（ステップＳ３０）、その時点でのタイトル画像の表示位置を合成位置として決定する（ステップＳ３３）。なお、合成位置の設定は、上下方向のみに限定されるものではなく、左右方向への設定も可能な構成であってもよい。
【００９８】
その後、ＣＰＵ３６は、ＲＡＭ３４に格納されたタイトル画像データをＤＲＡＭ２９に転送し、ＤＲＡＭ２９に展開されている前記指定された合成元の画像データに対し、上記ステップＳ３３において設定された合成位置に基づいて、前記タイトル画像データを画像合成する（ステップＳ３４）。
【００９９】
次いで、ＣＰＵ３６は、前記合成元の画像データのページＮｏ．データを取得し（ステップＳ３５）、当該ページＮｏ．データよりも大きい値を有する各ページＮｏ．データ、すなわち、当該ページＮｏ．データの次のページＮｏ．データ以降の値を各々インクリメント（＋１）する（ステップＳ３６）。つまり、前記合成元の画像データの次のページＮｏ．データを空きデータとする。
【０１００】
例えば、合成元の画像データとして図１０（ａ）に示すようにページＮｏ．データ“１８”の画像データが指定されていた場合、ＣＰＵ３６は、ページＮｏ．データ“１９”以降を順次“１”ずつ加算処理する。すなわち、今までページＮｏ．データが“１９”であった画像データは、この処理によりページＮｏ．データ“２０”の画像データとなり、ページＮｏ．データ“２０”の画像データは、ページＮｏ．データ“２１”の画像データとなる。そして、ＣＰＵ３６は、ページＮｏ．データ“１９”には、対応する画像データが無い状態とする。
【０１０１】
次いで、ＣＰＵ３６は、図１３（ｄ）に示すように、ＤＲＡＭ２９に格納された合成済みの画像データと、前記合成元となる画像データの次のページＮｏ．データを表示部１２に表示した後（ステップＳ３７）、この合成済みの画像データを前記次のページＮｏ．データと対応付けてフラッシュメモリ３１に格納する（ステップＳ３８）。
【０１０２】
このように合成済みの画像データを合成元の画像データの次のページＮｏ．データと対応付けてフラッシュメモリ３１に格納することで、合成前と合成後の画像データは連続したページＮｏ．データを有することとなり、再生表示の際に、合成前、或いは合成後の画像データを表示画面に表示させた後、「＋」キー１７ａ、或いは「−」キー１７ｂを１回押圧操作すれば、他方の画像を表示画面に切換表示させることができる。したがって、合成前と合成後の画像の比較を極めて簡単な操作で行なうことが可能となる。
【０１０３】
その後、ＣＰＵ３６は、モード切換スイッチ１３がスライド操作されてタイトル画像合成処理の終了が指示されたか否かを判別し（ステップＳ３９）、モード切換スイッチ１３がスライド操作されていない場合は上記ステップＳ２に戻り、当該処理を継続する。また、ＣＰＵ３６は、モード切換スイッチ１３がスライド操作されたと判別した場合は当該タイトル画像合成処理を終了する。
以上がデジタルカメラ１のＣＰＵ３６により実行されるタイトル画像合成処理の動作手順である。
【０１０４】
なお、上記タイトル画像合成処理（図８及び図９参照）は、図１４に示す処理ステップを更に追加することにより、作成したタイトル画像のサイズを様々に拡大・縮小して画像合成したり、前記タイトル画像を様々な回転角度で回転させて画像合成することが可能となる。
以下に、このタイトル画像合成処理の変形例について説明する。
【０１０５】
このタイトル画像合成処理の変形例においてＣＰＵ３６は、まず、上記タイトル画像合成処理（図８及び図９参照）のステップＳ１〜Ｓ２７に示す処理を行なう。次いで、ＣＰＵ３６は、シャッターキー１５、或いはエフェクトキー１６の押圧操作によりタイトル画像の倍率設定処理を行なうか否かを判別し（ステップＡ１）、エフェクトキー１６が押圧操作され、倍率設定処理を行なわない旨が指示された場合は、ステップＡ７に移行する。
【０１０６】
また、ＣＰＵ３６は、シャッターキー１５が押圧操作され、倍率設定処理を行なう旨が指示された場合は、まず、タイトル画像の変更倍率データの値を“１００”にセットし、表示部１２に表示する（ステップＡ２）。この変更倍率データの値は、“１００”が１倍（等倍）であり、“１００”より大きい場合は拡大、“１００”より小さい場合は縮小を意味する。
【０１０７】
その後、ＣＰＵ３６は、ステップＡ３〜Ａ５において、「＋」キー１７ａ、或いは「−」キー１７ｂの押圧操作に応じて（ステップＡ４）、前記変更倍率データの値を“１”ずつ増減（「＋」キー１７ａが押圧操作された場合は“＋１”、「−」キー１７ｂが押圧操作された場合は“−１”）するとともにその値を表示部１２に表示して（ステップＡ５）、ステップＡ３に戻る。そして、ＣＰＵ３６は、シャッターキー１５の押圧操作に応じて（ステップＡ３）、その時点での変更倍率データの値を合成用のタイトル画像の変更倍率データとして決定する（ステップＡ６）。
【０１０８】
次いで、ＣＰＵ３６は、シャッターキー１５、或いはエフェクトキー１６の押圧操作によりタイトル画像の回転角度設定処理を行なうか否かを判別し（ステップＡ７）、エフェクトキー１６が押圧操作され、回転角度設定処理を行なわない旨が指示された場合は、上記タイトル画像合成処理（図８及び図９参照）のステップＳ２８に移行する。
【０１０９】
また、ＣＰＵ３６は、シャッターキー１５が押圧操作され、回転角度設定処理を行なう旨が指示された場合は、まず、タイトル画像の回転角度データの値を“０”にセットし、表示部１２に表示する（ステップＡ８）。この回転角度データの値は、“０（０度）”が通常であり、“０”〜“３６０”までの数値によりタイトル画像を反時計周りに該数値角度分だけ回転させて画像合成することを指示する制御データである。
【０１１０】
その後、ＣＰＵ３６は、ステップＡ９〜Ａ１１において、「＋」キー１７ａ、或いは「−」キー１７ｂの押圧操作に応じて（ステップＡ１０）、前記回転角度データの値を“１”ずつ増減（「＋」キー１７ａが押圧操作された場合は“＋１”、「−」キー１７ｂが押圧操作された場合は“−１”）するとともにその値を表示部１２に表示して（ステップＡ１１）、ステップＡ９に戻る。そして、ＣＰＵ３６は、シャッターキー１５の押圧操作に応じて（ステップＡ９）、その時点での回転角度データの値を合成用のタイトル画像の回転角度データとして決定し（ステップＡ１２）、上記タイトル画像合成処理（図８及び図９参照）のステップＳ２８に移行する。
【０１１１】
なお、このようなタイトル画像の倍率設定処理、回転角度設定処理を行なった場合、上記タイトル画像合成処理のステップＳ２８では、上記設定された変更倍率データや回転角度データに基づいてタイトル画像の拡大・縮小処理や回転処理をも行なってタイトル画像データを生成し、ＲＡＭ３４に格納する。
【０１１２】
また、上記タイトル画像の回転角度設定処理において、回転角度データが所定範囲の値（例えば、６０〜１２０，２４０〜３００（度））に設定され、タイトル画像の傾きが垂直、或いはそれに近い場合は、タイトル文字を横書きから縦書きに自動的に変更する制御構成であってもよい。このようなタイトル画像合成処理の変形例によれば、例えば、図１５に示すようなタイトル画像の合成を行なうことも可能となる。
以上がタイトル画像合成処理の変形例についての動作手順である。
【０１１３】
なお、上記タイトル画像合成処理（図８及び図９参照）やその変形例（図１４参照）においては、合成対象の撮像画像、タイトル文字、及びプレートの実際の画像を表示画面に表示して各種設定処理を行なう制御構成としたが、例えば、上記合成対象の撮像画像、タイトル文字、及びプレートの各々の領域枠のみを表示画面に表示して各種設定処理を行なう制御構成としてもよい。このような制御構成とすれば、画像表示に要する分だけ処理スピードを早めることができる。
【０１１４】
また、上記タイトル画像合成処理（図８及び図９参照）やその変形例（図１４参照）においては、デジタルカメラ１の表示部１２を用いて各種設定処理を行なう場合について説明したが、例えば、当該デジタルカメラ１のビデオ出力端子１８ｂにビデオケーブルを介してテレビ受像機等の外部機器を接続し、その表示画面に同様の表示を行なって、この画面表示を見ながらデジタルカメラ１のキー入力部３５を操作して各種設定処理を行なうこともできる。このようにすれば、より大きな画面表示で合成内容を確認しながら各種設定処理を行なうことができ、使い勝手を高めることができる。
【０１１５】
また、本実施の形態においては、タイトル画像を合成した画像データについて、すなわち、画像合成処理を行なった画像データについて、合成元の画像データの次のページＮｏ．データと対応付けてフラッシュメモリ３１に格納する制御構成（タイトル画像合成処理（図８及び図９参照）のステップＳ３５〜Ｓ３８）としたが、このような画像データの格納方法は、画像合成処理を行なった画像データに限定されるものではない。
【０１１６】
すなわち、上述したような画像合成処理以外にも、色調調整処理や解像度変更処理、画像の一部領域の削除処理等の画像加工処理を施した画像データについても同様に処理前の元画像データの次のページＮｏ．データと対応付けてフラッシュメモリ３１に格納すれば、処理前と処理後の画像データを関連付けて連続したページＮｏ．データを割り当ててフラッシュメモリ３１に格納させることができるので、元画像データと処理後の画像データとをフラッシュメモリ３１から読み出して比較表示させるための操作を同様に簡略化することができる。
【０１１７】
以上のようなことから本実施の形態におけるデジタルカメラ１によれば、ＣＰＵ３６（画像合成手段）は、キー入力部３５（指定手段）のキー操作により合成対象として選択指定され、ＤＲＡＭ２９（第１の記憶手段）に格納された撮像した画像データに対して、プレート格納テーブル３４ｄ（第２の記憶手段）から合成するプレートの画像データと、定型タイトル文格納テーブル３４ａ、或いはタイトル文字格納テーブル３４ｂ（第３の記憶手段）から合成するタイトル文データとがキー入力部３５のキー操作によって指定（任意のタイトル文データを作成して指定する場合を含む）されると、この指定条件に基づいて前記タイトル文の画像データを前記プレートの画像データに重ねてタイトル画像データを生成し、このタイトル画像データを前記ＤＲＡＭ２９に格納された画像データに合成する。
【０１１８】
したがって、合成するタイトル文字をプレートに重ねて撮像画像に合成することができるので、合成されたタイトル文字が強調され、タイトル文字をより見易くすることができる。また、合成するタイトル文字をプレートに重ねたことにより、従来のようにただ単にタイトル文字のみを合成した場合と比較して、より興趣に富んだ合成画像を当該デジタルカメラ１で作成することができ、優れた画像合成機能をユーザーに提供することができる。また、当該デジタルカメラ１に文字入力のためのキーボード等を接続することなく、合成用のタイトル文字を設定することができる。
【０１１９】
また、本実施の形態におけるデジタルカメラ１によれば、ＣＰＵ３６（画像合成手段、設定手段、色制御手段、サイズ制御手段、及び回転角制御手段）は、合成対象として指定された、画像データ、タイトル文の画像データ、プレートの画像データを表示部１２（表示手段）に表示して、タイトル文字の色、プレートの色、合成対象の画像に対するタイトル画像の合成位置、合成時のタイトル画像のサイズ、合成時のタイトル画像の回転角度等の合成条件を設定可能に制御する。
【０１２０】
したがって、ユーザーは、合成するタイトル文字や該タイトル文字を重ねるプレート、合成される撮像画像を表示画面で確認しながら、タイトル文字の色、プレートの色、合成対象の画像に対するタイトル画像の合成位置、合成時のタイトル画像のサイズ、合成時のタイトル画像の回転角度等の合成条件を設定することができる。
【０１２１】
また、本実施の形態におけるデジタルカメラ１によれば、フラッシュメモリ３１（画像記憶手段）は、撮像レンズ１１、ＣＣＤ２０、バッファ２１、Ａ／Ｄ変換器２２、駆動回路２３、タイミングジェネレータ２４、シグナルジェネレータ２５、及びＣＰＵ３６等からなる撮像部（撮像手段）により撮像された画像データをページＮｏ．データ（格納順序データ）と対応付けて複数格納し、ＣＰＵ３６（記憶制御手段、画像処理手段）は、タイトル画像の合成（画像処理）を行なうと、合成元の画像データの次のページＮｏ．データ以降の値を順次インクリメント（＋１）した後、ＤＲＡＭ２９に格納された合成済みの画像データを前記合成元の画像データの次のページＮｏ．データと対応付けてフラッシュメモリ３１に格納する。
【０１２２】
したがって、タイトル画像合成処理により処理された画像データを処理前の元画像データと関連付けて、連続したページＮｏ．データを割り当ててフラッシュメモリ３１に格納させることができるので、元画像データとタイトル画像合成後の画像データとをフラッシュメモリ３１から読み出して比較表示させるための操作を簡略化することができる。また、以前に元画像データの次のページＮｏ．データと対応付けられてフラッシュメモリ３１に格納された画像データが消去されてしまう等といった不具合を生じることがない。
【０１２３】
以上、本発明を実施の形態に基づいて具体的に説明したが、本発明は上記実施の形態例に限定されるものではなく、その要旨を逸脱しない範囲で適宜に変更可能であることは勿論である。
【０１２４】
例えば、撮像画像にタイトル文字を重ねたプレートを合成する際に、プレート上にタイトル文字の影を付けるようにしたり、或いは撮像画像にプレートの影を付けるようにしてもよい。また、タイトル文字は１つのプレート内に複数設定可能な構成としてもよいし、１つの撮像画像にタイトル文字を重ねたプレートを複数合成可能な構成としてもよい。また、このように１つの撮像画像に複数の前記プレートを合成可能とする場合、各々のプレートの一部が重なり合うように合成可能な構成としてもよい。
【０１２５】
また、上記実施の形態例では、撮像画像に対してタイトル文字を合成する場合について述べたが、撮像画像に合成される文字は、タイトル文字に限定されるものではなく、例えば、撮影日時データ（例えば、“９７．６．２０”）や撮影場所データ（例えば、“琵琶湖にて”）等であってもよいことは勿論である。
【０１２６】
さらに、撮像画像に合成されるタイトル画像は文字の画像に限定されるものではなく、別の撮像画像やその１部分の画像等であってもよい。
【０１２７】
また、上記実施の形態例においては、デジタルカメラ（電子スチルカメラ）に本発明を適用し、当該デジタルカメラで撮像された静止画の撮像画像に対してタイトル画像を合成する場合について述べたが、例えば、本発明をビデオカメラ等に適用して動画の撮像画像に対してタイトル画像を合成する構成としてもよい。
【０１２８】
また、上記実施の形態例においては、各種制御プログラムをＲＯＭに、撮像した画像データやタイトル画像を合成した画像データをフラッシュメモリに格納する構成としたが、これらの各種制御プログラムや画像データが格納される記憶媒体は、前記ＲＯＭやフラッシュメモリ等の半導体メモリに限定されるものではなく、磁気的、光学的記憶媒体等であってもよい。また、この記憶媒体は、本体装置に対して着脱自在に装着可能な構成であってもよい。
【０１２９】
また、本発明は、例えば、ＣＣＤカメラを備えたＰＣＭＣＩＡ（Personal Computer Memory Card International Association ）規格のＰＣカメラカード等を装着することにより撮像機能を有することとなる携帯用電子機器やパーソナルコンピュータ等に対しても適用可能である。
【０１３０】
【発明の効果】
請求項１記載の発明によれば、合成する画像をプレートに重ねて撮像画像に合成することができるので、例えば、タイトル画像を撮像画像に合成した場合に、合成されたタイトル画像が強調され、タイトル画像をより見易くすることができる。また、合成する画像をプレートに重ねたことにより、従来のようにただ単に画像のみを合成した場合と比較して、より興趣に富んだ合成画像を当該画像処理装置で作成することができ、優れた画像合成機能をユーザーに提供することができる。
【０１３１】
請求項１記載の発明によれば、合成する画像をプレートに重ねて撮像画像に合成する際に、その合成条件をユーザーが任意に設定することができる。
【０１３３】
請求項１記載の発明によれば、合成する画像をプレートに重ねて撮像画像に合成する際に、その合成位置をユーザーが任意に設定することができる。
【０１３４】
請求項２記載の発明によれば、合成する画像をプレートに重ねて撮像画像に合成する際に、合成する画像、或いはプレートのいずれか一方以上の色をユーザーが任意に設定することができる。
【０１３５】
請求項３記載の発明によれば、合成する画像をプレートに重ねて撮像画像に合成する際に、合成する画像、或いはプレートのいずれか一方以上の合成サイズをユーザーが任意に設定することができる。
【０１３６】
請求項４記載の発明によれば、拡大率、或いは縮小率を設定することにより、合成する画像、或いはプレートのいずれか一方以上の合成サイズをユーザーが任意に設定することができる。
【０１３７】
請求項５記載の発明によれば、合成する画像をプレートに重ねて撮像画像に合成する際に、合成する画像を重ねたプレートの回転角度をユーザーが任意に設定することができる。
【０１３８】
請求項６記載の発明によれば、文字（文字の画像）を１つずつ選択指定して任意の文字列を作成し、この作成した文字列をプレートに重ねて撮像画像に合成することができる。したがって、当該画像処理装置に文字入力のためのキーボード等を設けることなく、合成用の任意の文字列（例えば、タイトル文字等）を作成することができる。
【０１３９】
請求項７記載の発明によれば、予め定められた複数の定型文の中からユーザーにより選択指定された定型文の文字列をプレートに重ねて撮像画像に合成することができる。したがって、請求項６記載の発明のように文字を１文字ずつ選択指定して合成用の文字列を作成する必要がなく、より簡単に合成用の文字列（例えば、タイトル文字等）を設定することができる。
【図面の簡単な説明】
【図１】本発明を適用したデジタルカメラの外観斜視図である。
【図２】図１のデジタルカメラの回路構成を示すブロック図である。
【図３】図２のＲＡＭ３４に展開される定型タイトル文格納テーブル３４ａの一例について示す図である。
【図４】図２のＲＡＭ３４に展開されるタイトル文字格納テーブル３４ｂの一例について示す図である。
【図５】図２のＲＡＭ３４に展開されるタイトル文字色制御テーブル３４ｃの一例について示す図である。
【図６】図２のＲＡＭ３４に展開されるプレート格納テーブル３４ｄの一例について示す図である。
【図７】図２のＲＡＭ３４に展開されるプレート色制御テーブル３４ｅの一例について示す図である。
【図８】図２のＣＰＵ３６において実行されるタイトル画像合成処理のフローチャート（その１）である。
【図９】図２のＣＰＵ３６において実行されるタイトル画像合成処理のフローチャート（その２）である。
【図１０】図８及び図９に示したタイトル画像合成処理における画面表示例を示す図（その１）である。
【図１１】図８及び図９に示したタイトル画像合成処理における画面表示例を示す図（その２）である。
【図１２】図８及び図９に示したタイトル画像合成処理における画面表示例を示す図（その３）である。
【図１３】図８及び図９に示したタイトル画像合成処理における画面表示例を示す図（その４）である。
【図１４】図８及び図９に示したタイトル画像合成処理の変形例について示すフローチャートである。
【図１５】図１４示したタイトル画像合成処理の変形例における画面表示例を示す図である。
【符号の説明】
１      デジタルカメラ
１ａ    本体ケーシング
１１      撮像レンズ
１２      表示部
１３      モード切換スイッチ
１４      電源スイッチ
１５      シャッターキー
１６      エフェクトキー
１７ａ    「＋」キー
１７ｂ    「−」キー
１８ａ    シリアル入出力端子
１８ｂ    ビデオ出力端子
２０      ＣＣＤ
２１      バッファ
２２      Ａ／Ｄ変換器
２３      駆動回路
２４      タイミングジェネレータ
２５      シグナルジェネレータ
２６      ＶＲＡＭ
２７      Ｄ／Ａ変換器
２８      バッファ
２９      ＤＲＡＭ
３０      圧縮／伸長回路
３１      フラッシュメモリ
３２      ＣＧ
３３      ＲＯＭ
３４      ＲＡＭ
３４ａ    定型タイトル文格納テーブル
３４ｂ    タイトル文字格納テーブル
３４ｃ    タイトル文字色制御テーブル
３４ｄ    プレート格納テーブル
３４ｅ    プレート色制御テーブル
３５      キー入力部
３６      ＣＰＵ
３７      Ｉ／Ｏポート
【図１】
0003799745.tif 000002
【図２】
0003799745.tif 000003
【図３】
0003799745.tif 000004
【図４】
0003799745.tif 000005
【図５】
0003799745.tif 000006
【図６】
0003799745.tif 000007
【図７】
0003799745.tif 000008
【図８】
0003799745.tif 000009
【図９】
0003799745.tif 000010
【図１０】
0003799745.tif 000011
【図１１】
0003799745.tif 000012
【図１２】
0003799745.tif 000013
【図１３】
0003799745.tif 000014
【図１４】
0003799745.tif 000015
【図１５】
0003799745.tif 000016